(57)【要約】【課題】この発明はヘッドボードにマッサージユニットを設け、このマッサージユニットによってマッサージを受けることができるようにしたベッド装置を提供することにある。【解決手段】マットレス３が載置されるベッド本体１と、このベッド本体の長手方向一端に設けられ少なくとも一部が上記ベッド本体の長手方向に沿って傾動可能な可動部６に形成されたヘッドボード２と、上記可動部に設けられこの可動部に沿って往復駆動されるマッサージローラ５２を有するマッサージユニット３３とを具備する。【選択図】　　図８
2004113366.tif 000002
【特許請求の範囲】
【請求項１】
マットレスが載置されるベッド本体と、
このベッド本体の長手方向一端に設けられ少なくとも一部が上記ベッド本体の長手方向に沿って傾動可能な可動部に形成されたボード体と、
上記可動部に設けられこの可動部に沿って往復駆動されるマッサージローラを有するマッサージユニットと、
を具備したことを特徴とするベッド装置。
【請求項２】
上記ボード体の幅方向中央部分が上記可動部に形成されていることを特徴とする請求項１記載のベッド装置。
【請求項３】
上記可動部は上記ボード体の上下方向に沿って移動可能であって、上昇時には下端が上記マットレスの上面に当接して所定の傾斜角度で保持されることを特徴とする請求項１又は請求項２のいずれかに記載のベッド装置。
【請求項４】
上記可動部は付勢手段によって上昇方向に弾性的に付勢されていることを特徴とする請求項３記載のベッド装置。
【請求項５】
上記可動部は下端が上記マットレスの上面とほぼ同じ高さ若しくは上方に位置していて、傾動させたときに保持機構によって所定の傾斜角度で保持されることを特徴とする請求項１記載のベッド装置。
【請求項６】
上記マッサージユニットは、上記マッサージローラによる揉み動作と叩き動作とが選択可能な構成であることを特徴とする請求項１記載のベッド装置。
【発明の詳細な説明】
【０００１】
【発明の属する技術分野】
この発明はヘッドボードなどのボード体を備えたベッド装置に関する。
【０００２】
【従来の技術】
一般に、ベッド装置は上面にマットレスが載置されるベッド本体を有する。このベッド本体の一端にはヘッドボードが設けられ、他端にはフットボードが設けられている。
【０００３】
このような構成のベッド装置において、その付加価値を高めるために上記ヘッドボードにマッサージユニットを組み込み、利用者がマットレス上で上半身を起こし、上記ヘッドボードに寄り掛かることで、背面にマッサージを受けることができるようにすることが考えられている。
【０００４】
【発明が解決しようとする課題】
上記ヘッドボードは板面が上記マットレスの上面に対してほぼ直角である。つまり、ヘッドボードの板面はほぼ垂直である。そのため、上記マッサージユニットを上記ヘッドボードに単に組み込んでも、マットレス上で上半身を起こした利用者は背面を上記ヘッドボードの板面に強く押し当て難いため、背面に十分な強さでマッサージを受けることができないということになる。
【０００５】
すなわち、ヘッドボードのマッサージユニットが設けられる板面が垂直であると、利用者は上半身をほぼ直角に起こして背筋を伸ばさないと背面をヘッドボードの板面に当てることができないということがあるばかりか、上半身をほぼ直角に起こした状態ではヘッドボードの板面に体重を掛け難い。そのため、利用者はマッサージユニットのローラに身体を楽な姿勢で確実に強く押し当てることができないということになる。
【０００６】
この発明は、利用者が背面をボード体に設けられたマッサージユニットに楽な姿勢で確実に強く押し当てることができるようにしたベッド装置を提供することにある。
【０００７】
【課題を解決するための手段】
請求項１の発明は、マットレスが載置されるベッド本体と、
このベッド本体の長手方向一端に設けられ少なくとも一部が上記ベッド本体の長手方向に沿って傾動可能な可動部に形成されたボード体と、
上記可動部に設けられこの可動部に沿って往復駆動されるマッサージローラを有するマッサージユニットと、
を具備したことを特徴とするベッド装置にある。
【０００８】
請求項２の発明は、上記ボード体の幅方向中央部分が上記可動部に形成されていることを特徴とする請求項１記載のベッド装置にある。
【０００９】
請求項３の発明は、上記可動部は上記ボード体の上下方向に沿って移動可能であって、上昇時には下端が上記マットレスの上面に当接して所定の傾斜角度で保持されることを特徴とする請求項１又は請求項２のいずれかに記載のベッド装置にある。
【００１０】
請求項４の発明は、上記可動部は付勢手段によって上昇方向に弾性的に付勢されていることを特徴とする請求項３記載のベッド装置にある。
【００１１】
請求項５の発明は、上記可動部は下端が上記マットレスの上面とほぼ同じ高さ若しくは上方に位置していて、傾動させたときに保持機構によって所定の傾斜角度で保持されることを特徴とする請求項１記載のベッド装置にある。
【００１２】
請求項６の発明は、上記マッサージユニットは、上記マッサージローラによる揉み動作と叩き動作とが選択可能な構成であることを特徴とする請求項１記載のベッド装置にある。
【００１３】
この発明によれば、ボード体の少なくとも一部を傾動可能な可動部とし、この可動部にマッサージユニットを設けるようにしたことで、マッサージユニットを利用者が背面を押し当て易い角度にすることができる。
【００１４】
【発明の実施の形態】
以下、図面を参照しながらこの発明の一実施の形態を説明する。
【００１５】
図１乃至図８はこの発明の第１の実施の形態を示し、図１（ａ），（ｂ）に示すベッド装置はベッド本体１を備えている。このベッド本体１は矩形箱形状をなしていて、長手方向一端にはボード体としてのヘッドボード２が立設され、上面には所定の厚さに形成されたマットレス３が載置されている。このマットレス３は、平面形状がベッド本体１とほぼ同じ矩形状に形成されている。
【００１６】
上記ヘッドボード２は、幅方向一端部に位置する右固定部４、他端部に位置する左固定部５及び中央部に位置する可動部６の三つに分割されている。この可動部６は、後述するごとく上下方向に移動可能であるとともに、上部を支点として下部がヘッドボード２の前方に突出する方向に揺動可動となっている。
【００１７】
すなわち、図２に示すように、ヘッドボード２の右固定部４と左固定部５との間には空間部９が形成されている。この空間部９にはＬ字状に屈曲された両端を上記左右固定部４，５の上記空間部９側に位置する側面に固定した帯板状の下部連結部材７と上部連結部材８とが上下方向に所定間隔で設けられている。
【００１８】
図３と図４に示すように、下部連結部材７と上部連結部材８との両端部にはそれぞれ上下面が開放した筒状の保持ケース１１が設けられ、各保持ケース１１内には図４に示すように上下方向に貫通したガイド孔１２を有するガイド部材１３がねじ１４によって取付け固定されている。
【００１９】
図３に示すように、左右各一対のガイド部材１３のガイド孔１２にはそれぞれ可動軸１５が上下方向に沿って移動可能に支持されている。一対の可動軸１５の下端は連結桟１６によって連結されている。一対の可動軸１５の上端には連結軸１５ａの一端が軸線を上記可動軸１５の軸線と直交させて固着されている。
【００２０】
上記連結軸１５ａの他端部は、図３に示すように可動部６の背面両側部の凹部６ａから内部に挿入され、その他端部には図５に示すように第１の円筒体１７が軸線を上記可動部６の幅方向に沿わせて固着されている。この第１の円筒体１７には支軸１８の一端部が回転可能に挿入されている。
【００２１】
上記支軸１８の他端部は第２の円筒体１９に挿入されている。この第２の円筒体１９は、上記可動部６のベースフレーム２０の上部両側に軸線を可動部６の幅方向に沿わせて取付け固定されている。上記支軸１８の他端部は、連結ピン２１によって上記第２の円筒体１９に一体的に連結されている。
【００２２】
したがって、上記可動部６は、上記可動軸１５が上記ガイド部材１３に沿って移動することで上下動可能であり、さらに上記支軸１８の一端部が第１の円筒体１７に対して回転することで、上部を支点として下端部が前方に突出する方向に揺動可能となっている。なお、可動部６は上記連結桟１６の両端部が下部連結部材７に設けられたガイド部材１３に当たるまで上昇可能となっている。
【００２３】
図２と図３に示すように、上記連結桟１６の長手方向中途部には所定の回転方向に弾性的に付勢されたドラム２２が設けられている。このドラム２２には帯状部材２３が末端を固着して巻回されている。この帯状部材２３の導出端は上記下部連結部材７の中途部の外面に連結固定されている。
【００２４】
上記帯状部材２３は上記ドラム２２に巻き込まれる方向に弾性的に付勢されている。それによって、上記可動部６は上記帯状部材２３により上昇方向に弾性的に付勢されている。この可動部６の上端面には、可動部６を上昇させるときに手を掛ける引き手２４が設けられている。
【００２５】
なお、帯状部材２３により可動部６に与えられる上昇方向の付勢力は、上記可動部６の重量よりも小さく設定されている。それによって、可動部６は通常は下降しており、上昇させるときに上記付勢力によって重量よりも軽い力で上昇させることが可能となっている。
【００２６】
図２に示すように、上記可動部６の内部には上記ベースフレーム２０が取付けられた基板３１が上下方向のほぼ全長にわたって設けられている。この基板３１の幅方向両端部にはラック３２が上下方向に沿って設けられている。このラック３２にはマッサージユニット３３の幅方向両側に設けられたそれぞれ一対のピニオン３４が噛合している。
【００２７】
図６に示すように、上記マッサージユニット３３にはナット体３５が設けられている。このナット体３５には駆動ねじ軸３６が螺合している。この駆動ねじ軸３６は可動部６の上下方向に沿って設けられ、下端部は図２に示すように第１の駆動モータ３７に動力伝達機構３８を介して連結されている。それによって、第１の駆動モータ３７が作動すると、上記動力伝達機構３８を介して上記駆動ねじ軸３６が回転駆動されるようになっている。第１の駆動モータ３７によって駆動ねじ軸３６が回転されると、その回転方向に応じて上記マッサージユニット３３が上昇方向或いは下降方向に駆動される。
【００２８】
図２と図６に示すように、上記マッサージユニット３３の一側にはアクチュエータ３９が一方のラック３２側に突出して設けられている。一方のラック３２の上端と下端との側方にはそれぞれ移動方向上昇限と下降限とを設定するリミットスイッチ４１ａ，４１ｂが設けられている。
【００２９】
上記アクチュエータ３９がどちらか一方のリミットスイッチ４１ａ，４１ｂを作動させることで、上記第１の駆動モータ３７の回転方向が変換され、上記マッサージユニット３３の走行方向が切り替わるようになっている。つまり、マッサージユニット３３は可動部６の上下方向に沿って往復駆動されるようになっている。
【００３０】
上記マッサージユニット３１にはメカボックス４２が設けられている。このメカボックス４２内には半回転クラッチ４３が設けられている。この半回転クラッチ４３は第１の取付け軸４４と第２の取付け軸４５との一端部を連結している。各取付け軸４４，４５は軸線をマッサージユニット３３の走行方向と直交させて配置され、それぞれの他端部は軸受４６によって回転可能に支持されている。
【００３１】
図６に示すように、上記マッサージユニット３３は第２の駆動モータ４６を有する。この第２の駆動モータ４６の回転軸４６ａは上記メカボックス４２内に突出し、その突出端には図示しないウオームが設けられ、このウオームは上記第１の取付け軸４４に設けられた図示しないウオームホイールに噛合している。
【００３２】
それによって、半回転クラッチ４３によって連結された第１の取付け軸４４と第２の取付け軸４５とは、上記第２の駆動モータ４６によって回転駆動されるようになっている。
【００３３】
上記第１の取付け軸４４と第２の取付け軸４５との上記メカボックス４２から突出した他端部にはそれぞれ回転盤４７が設けられている。各回転盤４７は図７に示すように各取付け軸４４，４５に対して偏心し、かつ所定の角度で傾斜して取付けられている。各偏心盤４７には取付け板４８が偏心盤４７に対して相対的に回転可能に設けられている。つまり、取付け板４８は図８に示すように側面形状がＶ字状をなしていて、その中心部に上記偏心盤４７に回転可能に外嵌する取付け孔４９（図７に示す）が形成されている。
【００３４】
図７に示すように、上記偏心盤４７の一側面と他側面とには上記取付け孔４９よりも大径な押え部材５１が一体的に設けられている。一対の押え部材５１の周辺部は上記取付け板４８の両側面を挟持している。それによって、上記回転盤４７は上記取付け孔４９から外れないよう保持されている。
【００３５】
各取付け板４８の一端部と他端部とにはそれぞれマッサージローラ５２が回転可能に取付けられている。図６に示すように一対の取付け板４８の傾斜方向が逆向きの状態で、第１、第２の取付け軸４４，４５を第２の駆動モータ４６によって回転させると、一対の取付け板４８は偏心盤４７によって矢印で示すように一端部と他端部とが接離する方向に揺動駆動される。それによって、上記取付け板４８の一端部と他端部とに設けられたそれぞれ一対のマッサージローラ５２は可動部６の前面に寄りかかった利用者の背面に対して揉み動作を行なう。
【００３６】
第２の駆動モータ４６の回転軸４６ａを揉み動作のときと逆方向に回転させると、第１の取付け軸４４だけが１８０度回転した後、半回転クラッチ４３によって第２の取付け軸４５が連動する。
【００３７】
それによって、第１の取付け軸４４に取付けられた取付け板４８と第２の取付け軸４５に取付けられた取付け板４８とが同方向に傾斜した状態で偏心盤４７の偏心回転に応じて変位するから、各取付け板４８に設けられたマッサージローラ５２によって叩き動作が行なわれることになる。
【００３８】
図２に示すように、上記マッサージユニット３３の基板３１の周辺部はパイプフレーム５４によって覆われている。このパイプフレーム５４の上記マッサージローラ５２の走行方向に沿う上端部は両側部よりも凹んだ凹部５５に形成されている。さらに、上記マッサージユニット３３が設けられた可動部６の前面は図８に示すようにクッション材５６によって覆われている。
【００３９】
上記可動部６はほぼ垂直で下降した状態にあるとき、図８に実線で示すように下端部がマットレス３の上面よりも下方に位置している。上記可動部６を鎖線で示すように上昇限まで上昇させると、下端がマットレス３の上面とほぼ同じ或いはわずかに上方に位置するから、上昇限まで上昇させた可動部６を同じく同図に鎖線で示すように上部を支点として下部が前方に突出する方向、つまりベッド本体１の長手方向に沿って傾動させることができる。その状態で、可動部６を下降させて下端をマットレス３の上面に当接させれば、この可動部６を所定の傾斜角度で保持することができる。
【００４０】
なお、上記マッサージユニット３３は、図８に示すようにヘッドボード２の内底部に設けられたコントロールボックス５６を介して電気的に接続された図示しないリモートコントローラによって操作することができるようになっている。
【００４１】
このような構成のベッド装置によれば、ヘッドボ−ド２の一部を上下動及び上部を支点として下部が前方へ突出する方向に揺動可能な可動部６に形成し、この可動部６にマッサージユニット３３を設けるようにした。
【００４２】
そのため、利用者は、ベッド装置を単に就寝するだけでなく、背面にマッサージを受けるためにも利用することができる。利用者がマッサージを受ける場合には、図８に実線で示すように垂直な状態で下端部がアマットレス３の上面よりも下方に下降した可動部６を、同図に鎖線で示すように上昇させてから、下端部が前方に突出するよう上部を支点として回動させた後、わずかに下降させて可動部６の下端をマットレス３の上面に当接させる。それによって、上記可動部６を所定の角度で傾斜した状態で保持することができる。
【００４３】
可動部６を所定の角度で傾斜させたならば、利用者は可動部６の前面に背面が当たるよう、この上記可動部６に寄り掛かる。その状態で、第１の駆動モータ３７と第２の駆動モータ４６とを図示しないリモートコントローラによって作動させる。
【００４４】
それによって、マッサージユニット３３が可動部６の上下方向に沿って往復駆動される。マッサージユニット３３には一対の取付け板４８が設けられ、各取付け板４８にはマッサージローラ５２が回転可能に設けられている。
【００４５】
そのため、可動部６に寄り掛かった利用者は、可動部６の上下方向に沿って往復駆動される、上記マッサージローラ５２によって背面にマッサージを受けることができる。利用者は、上記リモートコントローラによってマッサージローラ５２によるマッサージの種類を選択することができる。つまり、揉み動作或いは叩き動作のいずれかを選択することができるから、好みに応じたマッサージを受けることができる。
【００４６】
利用者がマッサージを受ける場合、上記可動部６は下端部を上端部よりも前方に突出した状態で傾斜させることができ、その傾斜角度は可動部６の下端をマットレス３の上面に当接させる位置を変えることで、変更可能である。つまり、可動部６は揺動可能かつ上下動可能に設けられているから、この可動部６の傾斜角度の変更が可能である。
【００４７】
そのため、利用者は上半身を直角な状態よりも後方へ倒して可動部６の前面に寄り掛かることができるから、背面を上記可動部６の前面に強く押し当てることができる。利用者が背面を可動部６に強く押し当てることができれば、それに応じて利用者は背面に強いマッサージを受けることができる。つまり、マサージ効果を高めることができる。
【００４８】
しかも、上記可動部６の傾斜角度は変更可能であり、その角度を変えることで上半身を後方へ倒す角度を変えることができる。上半身を後方へ倒す角度を変えることで、利用者が可動部６に寄り掛かったときに、この可動部６の前面に利用者の背面が当たる強さを変えることができる。したがって、可動部６の傾斜角度を変えることで、利用者は背面に好みに応じた強さでマッサージを受けることができる。
【００４９】
上記可動部６は、背面に設けられた帯状部材２３によって上昇方向に付勢されている。そのため、可動部６を上昇させて傾斜させる場合、上記帯状部材２３の付勢力によって軽い力で持ち上げることができる。
【００５０】
図９（ａ），（ｂ）はこの発明の第２の実施の形態を示す。この第２の実施の形態は可動部６の背面上部に上部連結片６１が設けられ、この上部連結片６１はヘッドボード２の内部上端部に設けられた取付け片６２に連結軸６３により回動可能に連結されている。それによって、可動部６は上部を支点として下部がヘッドボードの前方へ突出する方向に回動可能となっている。
【００５１】
なお、図９（ａ）に示すように可動部６がほぼ垂直な状態にあるとき、この可動部６の下端はマットレス３の上面とほぼ同じ位置あるいはわずかに上方に位置している。
【００５２】
上記可動部６は第１の保持機構６４によって所定の角度で傾斜した状態で保持できるようになっている。この第１の保持機構６４は上記可動部６の背面下部に設けられた下部連結片６５を有する。この下部連結片６５にはステ−６６の一端が連結軸６７によって枢着されている。
【００５３】
上記ステ−６６は上記ヘッドボード２の内部に回動可能に設けられたストッパ６８の図示しない挿通孔にスライド可能に挿入されている。このストッパ６８は上記ステ−６６を所定のスライド位置でスライド不能に保持できるようになっていて、その保持位置から上記ステ−６６をさらにスライドさせることで、保持状態が解除される。
【００５４】
このような構成のベッド装置によれば、図９（ａ）に示すように可動部６は通常、ほぼ垂直な状態となっている。利用者が背面にマッサージを受ける場合には、可動部６の下端部に手を掛け、この可動部６の下端部を図９（ａ）に矢印で示す前方に回動させる。それによって、可動部６は上端連結片６１を取付け片６２に連結した連結軸６３を支点として回動する。
【００５５】
上記可動部６を図９（ｂ）に示す所定の角度まで回動させると、この可動部６の回動に連動してストッパ６８の挿通孔をスライドしたステ−６６が上記ストッパ６８によってスライド不能に保持される。それによって、可動部６は所定の傾斜角度で保持されるから、利用者は背面を傾斜した可動部６の前面に押し当てることができる。
【００５６】
可動部６を図９（ｂ）に示す傾斜した状態から図９（ａ）に示す垂直な状態に戻すには、この可動部６を図９（ｂ）の状態からさらに傾斜する方向へ回動させる。それによって、ストッパ６８によるステ−６６の保持状態が解除されるから、上記可動部６を倒伏方向へ回動させ、図９（ａ）に示すようにほぼ垂直な状態に戻することができる。
【００５７】
図１０（ａ），（ｂ）はこの発明の第３の実施の形態を示す。この実施の形態は、可動部６は第２の実施の形態と同様、上部が連結軸６３によってヘッドボード２に回動可能に取付けられているという点では同じであるが、この可動部６を第２の保持機構７１によって所定の傾斜角度で保持するようにしているという点で上記第２の実施の形態と構成が異なる。
【００５８】
上記第２の保持機構７１は可動部６の背面下部に設けられた下部連結片７２を有する。この下部連結片７２には第１のリンク７３の一端が第１の連結軸７４によって枢着されている。
【００５９】
上記第１のリンク７３の他端には第２のリンク７５の一端が第２の連結軸７６によって枢着されている。上記第２のリンク７５の他端はヘッドボード２の内部に固定された固定片７７に第３の連結軸７８によって枢着されている。
【００６０】
上記第２のリンク７５の一端部の幅方向の端部には折り曲げ片７９が形成されている。この折り曲げ片７９は第１のリンク７３と第２のリンク７５とが一直線の状態よりもわずかに下方へ屈曲した状態で、第１のリンク７３の他端部の幅方向の端部に当たる。
【００６１】
それによって、第１のリンク７３と第２のリンク７５とがそれ以上下方へ屈曲するのが阻止される。その結果、可動部６は上記第１のリンク７３と第２のリンク７５とにより所定の傾斜角度で保持されることになる。
【００６２】
上記ヘッドボード２の内部には、上記可動部６がほぼ垂直になった状態で、この可動部６の背面下部に当たるストッパ８１が設けられている。それによって、可動部６はほぼ垂直な状態よりもヘッドボード２の内方へ入り込むのが阻止されている。
【００６３】
なお、可動部６はほぼ垂直な状態にあるときに、その下端がマットレス３の上面とほぼ同じ或いはわずかに上方に位置している。
【００６４】
このような構成のベッド装置によれば、利用者がマッサージを受けたい場合には、可動部６を図１０（ａ）に示す垂直な状態から図１０（ｂ）に示すように所定の角度で傾斜した状態に保持する。つまり、垂直な状態にある可動部６の下端部に手を掛け、この可動部６を上部の連結軸６２を支点として下部を前方に回動させる。
【００６５】
可動部６を回動させると、その回動に連動して第１のリンク７３と第２のリンク７５とが回動する。第１のリンク７３と第２のリンク７５は、図１０（ａ）に示す屈曲した状態から図１０（ｂ）に示すように一直線よりもわずかに下方へ屈曲した状態で保持される。
【００６６】
それによって、可動部６は所定の傾斜角度で保持されるとともに、第１のリンク７３と第２のリンク７５とが一直線よりもわずかに下方に屈曲しているため、利用者が可動部６の前面に寄り掛かっても、上記第１のリンク７３と第２のリンク７５とが上方に屈曲することがない。つまり、利用者は可動部６に安定した状態で寄り掛かることができる。
【００６７】
可動部６を傾斜した状態から垂直な状態へ戻すときには、ほぼ一直線となった第１のリンク７３と第２のリンク７５との枢着部分を上方へ押し上げながら、可動部６の下部をヘッドボード２側へ押圧する。それによって、第１のリンク７３と第２のリンク７５は図１０（ｂ）に示すほぼ一直線の状態から、図（ａ）に示す山形状の状態に屈曲するから、可動部６は傾斜した状態からほぼ垂直な状態に戻することができる。
【００６８】
なお、可動部を所定の傾斜角度で保持する機構は、上述した第１、第２の保持機構に限られず、他の構造の保持機構であってもよく、要は可動部を所定の傾斜角度で保持することができればよい。しかも、保持機構としては上記可動部の保持角度を段階的に変えることができる構成であってもよい。
【００６９】
また、ヘッドボードの幅方向中央部分だけをマッサージユニットが設けられる可動部としたが、ヘッドボード全体を傾斜させて所定の角度で保持できる可動部としてもよい。
【００７０】
【発明の効果】
以上のようにこの発明によれば、ボード体の少なくとも一部を傾動可能な可動部とし、この可動部にマッサージユニットを設けるようにした。
【００７１】
そのため、利用者が上記マッサージユニットによってマッサージを受ける場合、上記可動部を利用者が背面を押し当て易い角度に傾斜させることができるから、利用者は楽な姿勢で、確実にマッサージを受けることができる。
【図面の簡単な説明】
【図１】（ａ）は可動部を下降させた状態を示すベッド装置の斜視図、（ｂ）は可動部を上昇させて傾斜させた状態を示すベッド装置の斜視図。
【図２】可動部の内部を示す正面図。
【図３】可動部を背面側から見た斜視図。
【図４】可動軸を支持したガイド部材の断面図。
【図５】可動部と可動軸との連結構造を示す正面図。
【図６】マッサージユニットを示す正面図。
【図７】マッサージユニットの取付け軸と偏心盤との取付け構造の断面図。
【図８】可動部をほぼ垂直な状態から上昇させて傾斜させるときの説明図。
【図９】（ａ）はこの発明の第２の実施の形態を示す可動部がほぼ垂直な状態の説明図、（ｂ）は可動部を所定の角度で傾斜させた状態の説明図。
【図１０】（ａ）はこの発明の第３の実施の形態を示す可動部がほぼ垂直な状態の説明図、（ｂ）は可動部を所定の角度で傾斜させた状態の説明図。
【符号の説明】
１…ベッド本体
２…ヘッドボード（ボード体）
３…マットレス
６…可動部
３３…マッサージユニット
５２…マッサージローラ
６４…第１の保持機構
７１…第２の保持機構
【図１】
2004113366.tif 000003
【図２】
2004113366.tif 000004
【図３】
2004113366.tif 000005
【図４】
2004113366.tif 000006
【図５】
2004113366.tif 000007
【図６】
2004113366.tif 000008
【図７】
2004113366.tif 000009
【図８】
2004113366.tif 000010
【図９】
2004113366.tif 000011
【図１０】
2004113366.tif 000012